(57)【要約】【課題】ティースの取り付けを容易にすることで生産効率を低下させずに、薄型の光ディスク装置のドライブ装置を提供することである。【解決手段】ドライブ装置において、ティース２５は、光ピックアップに固定されるティース本体２５ａと、ティース本体２５ａからリードスクリュー側に突出した支持片部２５ｂ、２５ｂと、支持片部２５ｂ、２５ｂからリードスクリューの軸方向に直交する方向に延出した樹脂バネ片部２５ｃ、２５ｃと、樹脂バネ片部２５ｃ、２５ｃからリードスクリューの軸方向に平行な方向に形成された板部２５ｄと、板部２５ｄのリードスクリュー側に形成された噛合い歯２５ｅ、２５ｅと、噛合い歯２５ｅ、２５ｅ上方の板部２５ｄからリードスクリュー上方に突出し、リードスクリューを跨いで先端が下方に折れ曲がっているカバー部２５ｊと、ティース本体２５ａから突出した取手部２５ｋとを備えている。【選択図】図５Ａ
2012164397.tif 000002
【特許請求の範囲】
【請求項１】
光ピックアップと、
該光ピックアップを移動可能に支持するガイドシャフトと、
リードスクリューと、
前記光ピックアップに固定され、前記リードスクリューに向けて片持ち状態に延出し、噛合い歯が前記リードスクリューに噛合し、前記リードスクリューの回転に追従して送り移動される樹脂製のティースと、
上記各部材を搭載するトラバースシャーシとを備え、
前記ティースは、前記光ピックアップに固定されるティース本体と、該ティース本体から前記リードスクリュー側に突出した支持片部と、支持片部の突出端に基部を有して前記リードスクリューの軸方向に直交する方向に延出した樹脂バネ片部と、該樹脂バネ片部の延出端に基部を有して前記リードスクリューの軸方向に平行な方向に形成された板部と、該板部の前記リードスクリュー側に形成された前記噛合い歯と、該噛合い歯上方の前記板部から前記リードスクリュー上方に突出し、前記リードスクリューを跨いで先端が下方に折れ曲がっているカバー部と、前記ティース本体から突出した取手部とを備えることを特徴とする光ディスク装置のドライブ装置。
【請求項２】
前記取手部は、前記ティースを取り付ける際に前記トラバースシャーシの開口部に位置するように配設されていることを特徴とする請求項１記載の光ディスク装置のドライブ装置。
【請求項３】
前記ティースは、前記トラバースシャーシの底面側から前記光ピックアップの底面に取り付けられることを特徴とする請求項１又は２記載の光ディスク装置のドライブ装置。
【発明の詳細な説明】
【技術分野】
【０００１】
本発明は、ＣＤ、ＤＶＤ、ＢＤ（Blu-ray Disc）等に対して記録／再生を行う光ディスク装置のドライブ装置に関する。
【背景技術】
【０００２】
一般的な光ディスク装置のドライブ装置に備えられる光ピックアップの送り装置は、リードスクリューと、リードスクリューに噛み合ったままそのリードスクリューの回転に追従して送り移動される樹脂製のティースとを備え、さらに、ティースが、ガイドシャフトに沿って移動可能な光ピックアップに取り付けられて上記リードスクリューの軸線に直交する方向に向け片持ち状態に延び出ていると共に、そのティースを背部から弾性付勢してその噛合い歯を上記リードスクリューに対する噛合い方向に付勢するティーススプリングを備えている。そして近年、この光ディスク装置の機構を改善したものが種々提案されている。
【０００３】
例えば特許文献１には、ディスク記録面を走査する光ピックアップと、スクリュー軸とこのスクリュー軸に噛み合った噛合い歯を有する樹脂成形体でなる可動ユニットとを備える動力伝達機構と、を有して、上記動力伝達機構の可動ユニットが上記光ピックアップに結合されてその光ピックアップの一部を構成し、かつ、上記光ピックアップの走行路を規定するガイド軸がフレームに取り付けられているディスク装置において、上記光ピックアップの暴走時に上記フレームに具備された受部に受け止められてその光ピックアップの暴走を停止させる当り部が、上記可動ユニットから延び出た片持ち形状のばね片に設けられていると共に、その当り部が上記受部に受け止められて上記ばね片が撓み変形したときに、そのばね片の自由端部を当接させてそのばね片の形態を上記片持ち形状から両持ち形状に変化させるばね片支え部が、上記光ピックアップに設けられている構成が開示されている。
【０００４】
また特許文献２には、リードスクリューと、リードスクリューに噛み合ったままそのリードスクリューの回転に追従して送り移動される樹脂製の歯付き体とを備え、上記歯付き体が、傾角調整されるガイド軸に沿って移動可能な光ピックアップに取り付けられて上記リードスクリューの軸線に直交する方向に向け片持ち状態に延び出ていると共に、その歯付き体を背部から弾発付勢してその噛合い歯を上記リードスクリューに対する噛合い方向に付勢するばね体を備える光ピックアップの送り装置において、上記歯付き体の噛合い歯と上記リードスクリューとの噛合い位置に対する上記ばね体による上記歯付き体の付勢位置を、上記噛合い位置よりもその歯付き体の自由端側にオフセットさせてある構成が開示されている。
【先行技術文献】
【特許文献】
【０００５】
【特許文献１】特開２００９−１４０５４７号公報
【特許文献２】特開２００８−２５７８２６号公報
【発明の概要】
【発明が解決しようとする課題】
【０００６】
近年の光ディスク装置の小型化の要請に応えるためには、ドライブ装置を薄型化する必要がある。その中で、光ピックアップを搭載するトラバースシャーシを薄型にすることが考えられるが、単に薄型化すると強度不足になる。そこで、トラバースシャーシ底面の開口部分を小さくして補強する必要が出てくる。
【０００７】
またドライブ装置の薄型化に伴い、リードスクリュー及びステッピングモーターがトラバースシャーシの上面側から取り付けられる構成になる。そのため、ティースの噛合い歯部分の形状も上下逆になり、噛合い歯部分をリードスクリュー上面側から嵌め込む必要が出てくる。
【０００８】
組み立て作業において、ティースは光ピックアップが搭載された状態のトラバースシャーシの底面側から取り付ける。このとき、トラバースシャーシ底面の小さな開口部分から噛合い歯部分をリードスクリューにくぐらせてリードスクリューに嵌め込むとなると、ティースを持っている指がトラバースシャーシに当たって取り付けるのに時間が掛かる。このように、組み立て作業においてティースの取り付けが難しくなり、生産効率が低下するという問題が生じる。
【０００９】
本発明は、ティースの取り付けを容易にすることで生産効率を低下させずに、薄型の光ディスク装置のドライブ装置を提供することを目的とする。
【課題を解決するための手段】
【００１０】
上記目的を達成するために本発明の光ディスク装置のドライブ装置は、光ピックアップと、該光ピックアップを移動可能に支持するガイドシャフトと、リードスクリューと、前記光ピックアップに固定され、前記リードスクリューに向けて片持ち状態に延出し、噛合い歯が前記リードスクリューに噛合し、前記リードスクリューの回転に追従して送り移動される樹脂製のティースと、上記各部材を搭載するトラバースシャーシとを備え、前記ティースは、前記光ピックアップに固定されるティース本体と、該ティース本体から前記リードスクリュー側に突出した支持片部と、支持片部の突出端に基部を有して前記リードスクリューの軸方向に直交する方向に延出した樹脂バネ片部と、該樹脂バネ片部の延出端に基部を有して前記リードスクリューの軸方向に平行な方向に形成された板部と、該板部の前記リードスクリュー側に形成された前記噛合い歯と、該噛合い歯上方の前記板部から前記リードスクリュー上方に突出し、前記リードスクリューを跨いで先端が下方に折れ曲がっているカバー部と、前記ティース本体から突出した取手部とを備えることを特徴とする。
【００１１】
上記の光ディスク装置のドライブ装置において、前記取手部は、前記ティースを取り付ける際に前記トラバースシャーシの開口部に位置するように配設されていることが望ましい。
【００１２】
また上記の光ディスク装置のドライブ装置において、前記ティースは、前記トラバースシャーシの底面側から前記光ピックアップの底面に取り付けられることが望ましい。
【発明の効果】
【００１３】
本発明によると、ティースに取手部を設けることにより、ティースの取り付けを容易にし、生産効率を低下させずに薄型の光ディスク装置のドライブ装置を実現することができる。
【図面の簡単な説明】
【００１４】
【図１Ａ】本発明の光ディスク装置のドライブ装置の平面図である。
【図１Ｂ】本発明の光ディスク装置のドライブ装置の正面図である。
【図１Ｃ】本発明の光ディスク装置のドライブ装置の左側面図である。
【図１Ｄ】本発明の光ディスク装置のドライブ装置の右側面図である。
【図１Ｅ】本発明の光ディスク装置のドライブ装置の背面図である。
【図１Ｆ】本発明の光ディスク装置のドライブ装置の底面図である。
【図２Ａ】図１Ａにおいてカバーとディスクトレイとを取り除いた図である。
【図２Ｂ】図１Ｂにおいてカバーとディスクトレイとを取り除いた図である。
【図２Ｃ】図１Ｃにおいてカバーとディスクトレイとを取り除いた図である。
【図２Ｄ】図１Ｄにおいてカバーとディスクトレイとを取り除いた図である。
【図２Ｅ】図１Ｅにおいてカバーとディスクトレイとを取り除いた図である。
【図２Ｆ】図１Ｆにおいてカバーとディスクトレイとを取り除いた図である。
【図３Ａ】本発明のトラバースアッシー及びレバーアームの平面図である。
【図３Ｂ】本発明のトラバースアッシー及びレバーアームの正面図である。
【図３Ｃ】本発明のトラバースアッシー及びレバーアームの左側面図である。
【図３Ｄ】本発明のトラバースアッシー及びレバーアームの右側面図である。
【図３Ｅ】本発明のトラバースアッシー及びレバーアームの背面図である。
【図３Ｆ】本発明のトラバースアッシー及びレバーアームの底面図である。
【図４Ａ】本発明のトラバースアッシーの平面図である。
【図４Ｂ】本発明のトラバースアッシーの正面図である。
【図４Ｃ】本発明のトラバースアッシーの左側面図である。
【図４Ｄ】本発明のトラバースアッシーの右側面図である。
【図４Ｅ】本発明のトラバースアッシーの背面図である。
【図４Ｆ】本発明のトラバースアッシーの底面図である。
【図５Ａ】本発明のティースの平面図である。
【図５Ｂ】本発明のティースの正面図である。
【図５Ｃ】本発明のティースの左側面図である。
【図５Ｄ】本発明のティースの右側面図である。
【図５Ｅ】本発明のティースの背面図である。
【図５Ｆ】本発明のティースの底面図である。
【図６Ａ】比較例のティースの平面図である。
【図６Ｂ】比較例のティースの正面図である。
【図６Ｃ】比較例のティースの左側面図である。
【図６Ｄ】比較例のティースの右側面図である。
【図６Ｅ】比較例のティースの背面図である。
【図６Ｆ】比較例のティースの底面図である。
【発明を実施するための形態】
【００１５】
図１Ａ〜図１Ｆは本発明の光ディスク装置のドライブ装置の六面図であり、図１Ａは平面図、図１Ｂは正面図、図１Ｃは左側面図、図１Ｄは右側面図、図１Ｅは背面図、図１Ｆは底面図である。また、図２Ａ〜図２Ｆは図１Ａ〜図１Ｆにおいてそれぞれ上面のカバーとディスクトレイとを取り除いた状態の図である。また、図３Ａ〜図３Ｆはトラバースアッシー１４及びレバーアーム１５の六面図であり、図３Ａは平面図、図３Ｂは正面図、図３Ｃは左側面図、図３Ｄは右側面図、図３Ｅは背面図、図３Ｆは底面図である。また、図４Ａ〜図４Ｆはトラバースアッシー１４の六面図であり、図４Ａは平面図、図４Ｂは正面図、図４Ｃは左側面図、図４Ｄは右側面図、図４Ｅは背面図、図４Ｆは底面図である。
【００１６】
光ディスク装置は外観を形成する装置本体の筐体内にドライブ装置１０を収容している。ドライブ装置１０は、ドライブ装置１０の各部材を収容するローダーシャーシ１１と、ローダーシャーシ１１の上面開口部を覆うカバー１２と、光ディスクを搬送するディスクトレイ１３と、ディスクトレイ１３の搬送方向（前後方向）に略垂直な方向（上下方向）に旋回して昇降可能なトラバースアッシー１４と、トラバースアッシー１４の下面の一部（本実施形態では下面の前端付近）を覆ってトラバースアッシー１４を支持するとともに上下動する平面視略Ｕ字型のレバーアーム１５と、レバーアーム１５の前部とカム係合し、左右方向（ディスクトレイ１３の搬送方向及びトラバースアッシー１４の昇降方向と略直交する方向）に移動してレバーアーム１５を上下動させるカムスライダー１６と、ディスクトレイ１３及びカムスライダー１６を複数のギヤを介して駆動するモーター（不図示）とを備えている。
【００１７】
トラバースアッシー１４は、各部材を載せるためのトラバースシャーシ２０と、光ピックアップユニット（ＯＰＵ）２１と、ＯＰＵ２１を光ディスクの径方向（前後方向）に移動可能に支持する２本のガイドシャフト２２、２２と、ＯＰＵ２１駆動用のステッピングモーター２３と、ステッピングモーター２３に接続されたリードスクリュー２４と、ＯＰＵ２１に固定され、リードスクリュー２４に向けて片持ち状態に延出し、噛合い歯がリードスクリュー２４に噛合し、リードスクリュー２４の回転に追従して送り移動される樹脂製のティース２５と、噛合い歯をリードスクリュー２４に対する噛合い方向に付勢するティーススプリング３２（図３Ｆ参照）と、トラバースシャーシ２０の上面の前寄り部分に設けられ、光ディスクを回転させるスピンドルモーター２６と、スピンドルモーター２６を載せたスピンドルモーター用ＰＣＢ（プリント基板）２７（図４Ｂ参照）と、トラバースシャーシ２０の下面に設けられ、ドライブ装置１０全体を制御するためのＰＣＢ２８（図４Ｆ参照）と、一端がスピンドルモーター用ＰＣＢ２７に接続され、トラバースシャーシ２０の前方からトラバースシャーシ２０の下側に回り込んでトラバースシャーシ２０とレバーアーム１５の間を通ってＰＣＢ２８に他端が接続されたスピンドルモーター用ＦＦＣ（フレキシブルフラットケーブル）２９（図４Ａ参照）とを備えている。
【００１８】
トラバースシャーシ２０には、ＯＰＵ２１及びティース２５が後端に位置したときに対向する部分に開口部２０ａが形成されており、そこからティース２５等を取り付けることができるようになっている。トラバースアッシー１４は、トラバースシャーシ２０の前端２点で係止手段３０、３０によりレバーアーム１５に係止され、トラバースシャーシ２０の後端２点で係止手段３１、３１によりローダーシャーシ１１に係止されている。係止手段３０、３１は、ゴム製のＯリング及びビスである。
【００１９】
上記構成の光ディスク装置において、引き出された状態のディスクトレイ１３に光ディスクが載置されると、モーターの駆動によりディスクトレイ１３がディスク装置１０内に搬送される。ディスクトレイ１３が所定位置に配されると、ディスクトレイ１３へのモーターの駆動力の伝達が解除されてディスクトレイ１３が停止し、モーターの駆動によりカムスライダー１６が移動し、トラバースアッシー１４を上昇させる。これにより、トラバースアッシー１４が光ディスクに係合し、光ディスクがチャックされる。
【００２０】
光ディスクがチャックされると、カムスライダー１６へのモーターの駆動力伝達が解除されてカムスライダー１６及びトラバースアッシー１４が停止する。続いてステッピングモーター２３の駆動によりＯＰＵ２１が所定位置に移動し、光ディスクに対して記録又は再生を行う。また、光ディスクを取り出す際には上記と逆の動作が行われる。
【００２１】
次に、ティース２５の構造について詳しく説明する。図５Ａ〜図５Ｆはティース２５の六面図であり、図５Ａは平面図、図５Ｂは正面図、図５Ｃは左側面図、図５Ｄは右側面図、図５Ｅは背面図、図５Ｆは底面図である。
【００２２】
ティース２５は、ＰＯＭ（polyoxymethylene）等を射出成形等して形成され、ＯＰＵ２１の下面側にビス等で固定されるティース本体２５ａと、ティース本体２５ａからリードスクリュー２４側に突出した複数（本実施形態では２つ）の支持片部２５ｂ、２５ｂと、それぞれの支持片部２５ｂ、２５ｂの突出端に基部を有してリードスクリュー２４の軸方向に直交する方向に延出した複数（本実施形態では２つ）の樹脂バネ片部２５ｃ、２５ｃと、樹脂バネ片部２５ｃ、２５ｃの延出端に基部を有してリードスクリュー２４の軸方向に平行な方向に形成された板部２５ｄと、板部２５ｄのリードスクリュー２４側に形成された突条の噛合い歯２５ｅ、２５ｅと、噛合い歯２５ｅ、２５ｅの上方の板部２５ｄの端部から水平にリードスクリュー２４上方に突出し、リードスクリュー２４を跨いで先端が下方に折れ曲がってリードスクリュー２４の側方まで覆うように延びているカバー部２５ｊと、ティース本体２５ａから突出した取手部２５ｋとを備えている。
【００２３】
本実施形態では、樹脂バネ片部、２５ｃの厚みが支持片部、２５ｂの厚みより薄く形成されている。また、樹脂バネ片部２５ｃ、２５ｃの平面視の幅は支持片部２５ｂ、２５ｂの平面視の幅より狭くなっている。
【００２４】
取手部２５ｋは、ティース本体２５ａの後端部の右側面から突出した板状の部材であり、手の２本の指（例えば親指と人差し指）で摘める大きさである。取手部２５ｋの形状には特に限定はなく、トラバースシャーシ２０の開口部２０ａの形状に合わせて折れ曲がっていてもよく、例えばＬ字型等でもよい。また取手部２５ｋの形成位置は、指で摘んで取り付け可能な位置であればよく、本実施形態ではティース２５を取り付ける際にトラバースシャーシ２０の開口部２０ａに位置するように配設されている。
【００２５】
組み立て作業において、ティース２５はＯＰＵ２１が搭載された状態のトラバースシャーシ２０の底面側から取り付ける。このとき、ＰＣＢ２８及びＰＣＢに接続される各ＦＦＣ（図３Ｆ又は図４Ｆ参照）はまだトラバースシャーシ２０に取り付けられておらず、トラバースシャーシ２０の底面側から開口部２０ａ全体が見える状態である。この状態で、ティース２５の取付部２５ｋを指で摘まみ、トラバースシャーシ２０の底面側からの作業において、そのカバー部２５ｊを開口部２０ａに臨むリードスクリュー２４にくぐらせてリードスクリュー２４に嵌め込み、ティース本体２５ａのビス孔２５ｍをＯＰＵ２１底面のビス孔に重ね、用意したビスで固定する。
【００２６】
この一連のティース２５の組み立て作業において、取手部２５ｋの延長上には開口部２０ａが存在するので、取手部２５ｋを摘んでいる指がトラバースシャーシ２０に当たることはなく、容易に取り付けることができる。したがって、少なくとも従来と同等の作業時間でティース２５をＯＰＵ２１に取り付けることができるので生産効率が低下することはない。
【００２７】
ティーススプリング３２は、コイル状の圧縮バネであり、樹脂バネ片部２５ｃ同士の間に、ティース本体２５ａと板部２５ｄとを付勢するように配設されている。具体的には、ティース本体２５ａと板部２５ｄとが対向する部分にそれぞれ突起２５ｇ、２５ｈが対向して形成されており、突起２５ｇ、２５ｈにティーススプリング３２の両端部がそれぞれ嵌め込まれることで、ティーススプリング３２が抜け落ちないように支持されている。
【００２８】
このような構成においてステッピングモーター２３が駆動すると、リードスクリュー２４が回転し、ティース２５の噛合い歯２５ｅ、２５ｅに駆動力が伝達され、ティース２５及びそれに固定されたＯＰＵ２１がガイドシャフト２２、２２に沿って送り移動される。
【００２９】
一方、比較例として薄型化に対応していないティースについて説明する。図６Ａ〜図６Ｆは比較例のティースの六面図であり、図６Ａは平面図、図６Ｂは正面図、図６Ｃは左側面図、図６Ｄは右側面図、図６Ｅは背面図、図６Ｆは底面図である。
【００３０】
このティース１００は、ＯＰＵの下面側にビス等で固定されるティース本体１００ａと、ティース本体１００ａからリードスクリュー側に突出した２つの支持片部１００ｂ、１００ｂと、それぞれの支持片部１００ｂ、１００ｂの突出端に基部を有してリードスクリューの軸方向に直交する方向に延出した２つの樹脂バネ片部１００ｃ、１００ｃと、樹脂バネ片部１００ｃ、１００ｃの延出端に基部を有してリードスクリューの軸方向に平行な方向に形成された板部１００ｄと、板部１００ｄのリードスクリュー側に形成された噛合い歯１００ｅ、１００ｅと、噛合い歯１００ｅ、１００ｅの下方の板部１００ｄの端部から水平にリードスクリュー下方に突出し、リードスクリューを跨いで先端が上方に折れ曲がってリードスクリューの側方まで覆うように延びているカバー部１００ｊと、ティーススプリングの両端部がそれぞれ嵌め込まれる突起１００ｇ、１００ｈを備えている。
【００３１】
本発明のティース２５と比較例のティース１００とを比較すると、本発明のティース２５は比較例のティース１００よりも顕著に薄くなっている。
【００３２】
比較例のティース１００の組み立て作業において、ティース１００はＯＰＵが搭載された状態のトラバースシャーシの底面側から取り付ける。ティース本体１００ａの長手方向の両端を挟むように指で摘まみ、トラバースシャーシの底面側からの作業において、そのカバー部１００ｊをリードスクリューに上から被せて噛合い歯をリードスクリューに噛合させ、ティース本体１００ａのビス孔１００ｍをＯＰＵのビス孔に重ね、用意したビスで固定する。
【００３３】
この一連のティース１００の組み立て作業において、ティース１００はトラバースシャーシの底面側からを載せるだけなので取手部がなくてもあまり問題とならない。しかし、薄型に対応させるために、ティース１００を薄型化してカバー部１００ｊを上下逆に形成した場合、トラバースシャーシ２０の小さな開口部２０ａを介して設置することは指がトラバースシャーシ２０に当たって困難であり、生産効率が低下する。
【００３４】
以上より、本発明のティース２５は容易に取り付けることができるので、生産効率を低下させずに薄型の光ディスク装置のドライブ装置を実現することができる。
【産業上の利用可能性】
【００３５】
本発明は、ＣＤ、ＤＶＤ、ＢＤ等に対して記録／再生を行う光ディスク装置に利用でき、例えば、ＢＤ・ＤＶＤプレーヤ、ＢＤ・ＤＶＤレコーダ、テレビ一体型ＢＤ・ＤＶＤレコーダ、ＢＤ・ＤＶＤ記録再生装置搭載のパーソナルコンピュータなどが挙げられる。
【符号の説明】
【００３６】
１０  ドライブ装置
２０  トラバースシャーシ
２０ａ  開口部
２１  光ピックアップ
２２  ガイドシャフト
２４  リードスクリュー
２５  ティース
２５ａ  ティース本体
２５ｂ  支持片部
２５ｃ  樹脂バネ片部
２５ｄ  板部
２５ｅ  噛合い歯
２５ｊ  カバー部
２５ｋ  取手部
【図１Ａ】
2012164397.tif 000003
【図１Ｂ】
2012164397.tif 000004
【図１Ｃ】
2012164397.tif 000005
【図１Ｄ】
2012164397.tif 000006
【図１Ｅ】
2012164397.tif 000007
【図１Ｆ】
2012164397.tif 000008
【図２Ａ】
2012164397.tif 000009
【図２Ｂ】
2012164397.tif 000010
【図２Ｃ】
2012164397.tif 000011
【図２Ｄ】
2012164397.tif 000012
【図２Ｅ】
2012164397.tif 000013
【図２Ｆ】
2012164397.tif 000014
【図３Ａ】
2012164397.tif 000015
【図３Ｂ】
2012164397.tif 000016
【図３Ｃ】
2012164397.tif 000017
【図３Ｄ】
2012164397.tif 000018
【図３Ｅ】
2012164397.tif 000019
【図３Ｆ】
2012164397.tif 000020
【図４Ａ】
2012164397.tif 000021
【図４Ｂ】
2012164397.tif 000022
【図４Ｃ】
2012164397.tif 000023
【図４Ｄ】
2012164397.tif 000024
【図４Ｅ】
2012164397.tif 000025
【図４Ｆ】
2012164397.tif 000026
【図５Ａ】
2012164397.tif 000027
【図５Ｂ】
2012164397.tif 000028
【図５Ｃ】
2012164397.tif 000029
【図５Ｄ】
2012164397.tif 000030
【図５Ｅ】
2012164397.tif 000031
【図５Ｆ】
2012164397.tif 000032
【図６Ａ】
2012164397.tif 000033
【図６Ｂ】
2012164397.tif 000034
【図６Ｃ】
2012164397.tif 000035
【図６Ｄ】
2012164397.tif 000036
【図６Ｅ】
2012164397.tif 000037
【図６Ｆ】
2012164397.tif 000038